(57)【要約】      （修正有）【課題】引戸が納められる壁部の出入開口側端部の縦枠等と引戸との干渉を抑制しながらも閉鎖状態におけるこれらの間の隙間を低減し、かつ、構造の簡略化を図り得る引戸構造を提供する。【解決手段】全開状態の引戸１を出入開口の一側方側の壁部に対面させるように納める構造とした引戸構造であって、引戸１をその上端部１０が引戸１の戸幅方向に沿って直線状に移動するように壁部に沿わせるようにスライド自在に吊下支持させ、引戸１の下端部１５に戸幅方向に沿って直線状とされた直線部１７に連なる少なくとも戸尻側端部近傍部位を反壁部側に屈曲させた屈曲部１８とし、かつ壁部の出入開口側端部２４の引戸対面側下端の反壁部側に設けたガイド部２７ａが挿入される下向き開口のガイド溝１６を戸幅方向の略全幅に亘って設け、引戸１が閉鎖状態で、ガイド部２７ａがガイド溝１６の屈曲部に位置し、かつ引戸１が略鉛直状となる構造とされる。【選択図】図１
2014095263.tif 000002
【特許請求の範囲】
【請求項１】
全開状態の引戸を出入開口の一側方側の壁部に対面させるように納める構造とした引戸構造であって、
前記引戸を、その上端部が当該引戸の戸幅方向に沿って直線状に移動するように、前記壁部に沿わせるようにスライド自在に吊下支持させ、
該引戸の下端部に、戸幅方向に沿って直線状とされた直線部に連なる少なくとも戸尻側端部近傍部位を反壁部側に屈曲させた屈曲部とし、かつ前記壁部の出入開口側端部の引戸対面側下端の反壁部側に設けたガイド部が挿入される下向き開口のガイド溝を戸幅方向の略全幅に亘って設け、
前記引戸が閉鎖状態で、前記ガイド部が前記ガイド溝の屈曲部に位置し、かつ該引戸が略鉛直状となる構造とされていることを特徴とする引戸構造。
【請求項２】
請求項１において、
前記ガイド溝の直線部を、前記引戸の戸厚方向略中心に設け、前記ガイド部を、前記引戸の上端部の戸厚方向略中心直下よりも反壁部側に位置するように設けた構造とされていることを特徴とする引戸構造。
【請求項３】
請求項１または２において、
前記壁部の出入開口側端部を縦枠部材とし、この縦枠部材の見込み方向引戸対面側端面から突出するように設けられた隙間遮蔽部材に、閉鎖状態における前記引戸の戸尻側端部を当接させる構造としたことを特徴とする引戸構造。
【発明の詳細な説明】
【技術分野】
【０００１】
本発明は、全開状態の引戸を出入開口の一側方側の壁部に対面させるように納める構造とした引戸構造に関する。
【背景技術】
【０００２】
従来より、全開状態の引戸を出入開口の一側方側の壁部に対面させるように納める構造とした引戸構造が知られている。このような引戸構造では、引戸を閉鎖させた状態で、引戸と壁部の出入開口側端部の出入開口を区画する縦枠等との間の隙間を小さくすることが望まれる。しかしながら、このような引戸構造では、引戸に反り等が生じたような場合等には、引戸が出入開口を区画する縦枠等と干渉することが考えられる。
例えば、下記特許文献１では、戸幅方向に沿ってスライド自在に吊り下げ支持される引き戸を、閉鎖状態で縦枠等に密着させる構造とした気密扉が提案されている。この気密扉は、その引き戸の上端面に、上枠に設けられた上部引き寄せレール内を走行自在とされた上部ガイドローラーを設け、その引戸の下辺部側に、床面上に設けられた支持軸回りに回転する下部ガイドローラーを受け入れる下部引き寄せレールを設けた構造とされている。また、この気密扉は、上下の引き寄せレールに、屈曲部を設けることで閉鎖状態の引き戸を縦枠等に密着させる構造とされている。
【先行技術文献】
【特許文献】
【０００３】
【特許文献１】特開昭６０―１８４１８０号公報
【発明の概要】
【発明が解決しようとする課題】
【０００４】
しかしながら、上記特許文献１に記載された気密扉は、引き戸の上下両側に引き寄せレール等を設ける必要があり、構造が複雑化し、更なる改善が望まれる。
【０００５】
本発明は、上記実情に鑑みてなされたものであり、引戸が納められる壁部の出入開口側端部の縦枠等と引戸との干渉を抑制しながらも閉鎖状態におけるこれらの間の隙間を低減し、かつ、構造の簡略化を図り得る引戸構造を提供することを目的としている。
【課題を解決するための手段】
【０００６】
上記目的を達成するために、本発明に係る引戸構造は、全開状態の引戸を出入開口の一側方側の壁部に対面させるように納める構造とした引戸構造であって、前記引戸を、その上端部が当該引戸の戸幅方向に沿って直線状に移動するように、前記壁部に沿わせるようにスライド自在に吊下支持させ、該引戸の下端部に、戸幅方向に沿って直線状とされた直線部に連なる少なくとも戸尻側端部近傍部位を反壁部側に屈曲させた屈曲部とし、かつ前記壁部の出入開口側端部の引戸対面側下端の反壁部側に設けたガイド部が挿入される下向き開口のガイド溝を戸幅方向の略全幅に亘って設け、前記引戸が閉鎖状態で、前記ガイド部が前記ガイド溝の屈曲部に位置し、かつ該引戸が略鉛直状となる構造とされていることを特徴とする。
【０００７】
本発明においては、前記ガイド溝の直線部を、前記引戸の戸厚方向略中心に設け、前記ガイド部を、前記引戸の上端部の戸厚方向略中心直下よりも反壁部側に位置するように設けた構造としてもよい。
【０００８】
また、本発明においては、前記壁部の出入開口側端部を縦枠部材とし、この縦枠部材の見込み方向引戸対面側端面から突出するように設けられた隙間遮蔽部材に、閉鎖状態における前記引戸の戸尻側端部を当接させる構造としてもよい。
【発明の効果】
【０００９】
本発明に係る引戸構造は、上述のような構成としたことで、引戸が納められる壁部の出入開口側端部の縦枠等と引戸との干渉を抑制しながらも閉鎖状態におけるこれらの間の隙間を低減し、かつ、構造の簡略化を図ることができる。
【図面の簡単な説明】
【００１０】
【図１】（ａ）、（ｂ）は、いずれも本発明の一実施形態に係る引戸構造の一例を模式的に示し、（ａ）は、図３におけるＸ−Ｘ線矢視に対応させた一部破断概略縦断面図、（ｂ）は、（ａ）に対応させた一部破断概略縦断面図である。
【図２】（ａ）は、図３のＹ−Ｙ線矢視に対応させた一部破断概略横断面図、（ｂ）は、（ａ）に対応させた一部破断概略横断面図である。
【図３】同引戸構造の一例を模式的に示す一部破断概略正面図である。
【発明を実施するための形態】
【００１１】
以下に本発明の実施の形態について、図面に基づいて説明する。
図１〜図３は、本実施形態に係る引戸構造の一例を模式的に示す図である。
なお、一部の図では、他図に付している詳細な符号の一部を省略している。
また、以下の実施形態では、図２（ａ）に示すＶ方向から引戸に対面した状態を基準として、手前側を前方、逆側を後方として、その方向等を原則的に説明する。
【００１２】
本実施形態に係る引戸構造は、図２及び図３に示すように、全開状態の引戸１を出入開口７の一側方側の壁部６に対面させるように納める構造とされている。また、本実施形態では、住居等の建物の内壁４に設けられた開口部５に配設される戸枠２に引戸１を建て付けた引戸構造を例示している。また、本実施形態では、図２及び図３に示すように、引戸１が納められる（引き込まれる）壁部６を袖壁６とした引戸構造を示しており、一枚の引戸１を袖壁納めとした引戸構造を示している。
また、この引戸構造は、引戸１を、その上端部１０が引戸１の戸幅方向に沿って直線状に移動するように、袖壁６に沿わせるようにスライド自在に吊下支持させた構造とされている。
【００１３】
開口部５は、図３に示すように、正面視して略矩形状とされており、その上側が、横桟やまぐさ等の横架材または該横架材の下面側に固定された飼木（スペーサー材）等からなる上枠下地によって区画されている。また、開口部５は、その開口幅（戸幅）方向両側が、間柱等の柱材または該柱材の開口幅方向内側に固定された飼木（スペーサー材）等からなる左右両側の縦枠下地によって区画されている。また、開口部５は、その下側が、床材または床下地によって区画されている。なお、図例では、開口部５の下側を、床３によって区画した例を示している。
【００１４】
戸枠２は、図３に示すように、上枠２０と、この上枠２０の長手方向両側に配設される両側の縦枠２２，２３と、を備えている。
上枠２０は、開口部５の開口幅方向に沿って長尺の帯板状とされている。この上枠２０は、本実施形態では、長手方向一方側略半部の出入開口７側部位の見込み寸法（前後方向に沿う寸法、壁厚方向に沿う寸法）よりも、長手方向他方側略半部の袖壁６側部位の見込み寸法が袖壁６に応じて小さく形成されている。
【００１５】
また、この上枠２０には、図１に示すように、引戸１をスライド自在に吊り下げ支持する上レール２１が設けられている。この上レール２１には、引戸１の上端部１０がガイドされる直線状のスライド溝が設けられている。このような上レール２１としては、上板部及び両側板部によって縦断面形状が、下方に向けて開口する略コ字状（略Ｕ字状または略Ｃ字状）とされたものとしてもよい。また、両側板部の下端縁部に、互いに向き合う方向に突出する案内片がそれぞれに設けられたものとしてもよい。また、これら両案内片によって、引戸１のランナー部材１１のローラー等を当該上レール２１の長手方向に沿って転動自在に支持することで、当該上レール２１に対して引戸１をスライド自在に吊下支持するものとしてもよい。
【００１６】
両側の縦枠２２，２３は、図３に示すように、本実施形態では、引戸１の戸先側に配設される戸先側縦枠２２と、引戸１の戸尻側に配設される戸尻側縦枠２３と、からなる。これら両側の縦枠２２，２３は、開口部５の開口高に応じた長さ寸法とされ、帯板状とされている。また、本実施形態では、戸尻側縦枠２３の見込み寸法を、袖壁６に応じて戸先側縦枠２２の見込み寸法よりも小さく形成している。また、これら両側の縦枠２２，２３の互いに向き合う各内側面には、互いに向き合う方向に開口し、引戸１の戸幅方向端部を受け入れる戸じゃくり溝が長手方向に沿って設けられている。これら両側の縦枠２２，２３の各戸じゃくり溝は、上枠２０の上レール２１の見込み方向位置に応じた位置となるように設けられている。
これら両側の縦枠２２，２３と上枠２０とは、例えば、上枠２０の長手方向の各端面に、各縦枠２２，２３の上端部内側面を当接させ、各縦枠２２，２３の外側面側からねじや釘等の止具を上枠２０に捩じ込む（または打ち込む）ことで枠組みするようにしてもよい。
【００１７】
本実施形態では、図１〜図３に示すように、袖壁６の出入開口７側端部を縦枠部材２４とし、この縦枠部材２４を、両側の縦枠２２，２３間に配設される中方立２４としている。
中方立２４は、開口部５の開口高に応じた長さ寸法とされ、帯板状とされている。また、中方立２４は、袖壁６に応じた見込み寸法とされており、その見込み寸法が袖壁６の壁厚よりも大きく形成されている。
また、本実施形態では、図２に示すように、この中方立２４の見込み方向引戸対面側端面（前端面）２５から突出するように隙間遮蔽部材（モヘア部材）２６を設けた構造とされている。
この隙間遮蔽部材２６は、中方立２４の概ね全長に亘って設けられている（図１参照）。
また、本実施形態では、この隙間遮蔽部材２６に、閉鎖状態における引戸１の戸尻側端部１３を当接させる構造とされている。つまり、引戸１の閉鎖状態で、隙間遮蔽部材２６が引戸１の袖壁６対面側面（後面）に当接する構造とされている。
この隙間遮蔽部材２６は、中方立２４の前端面２５において開口するように凹溝状に形成された取付溝に嵌め込むように取り付けるようにしてもよい。
【００１８】
また、この中方立２４は、その前端部が当該中方立２４の戸尻側に設けられた袖壁６の引戸納め側面（前面）よりも前方側に突出するように配設されている。
この中方立２４は、その上端部を上記した上枠２０の出入開口７側部位と袖壁６側部位との境界部位に係合させ、該上端部が上枠２０に止具によって固定される。また、中方立２４の下端部は、床材や床下地等に上記同様の止具によって固定するようにしてもよい。
【００１９】
また、この中方立２４の戸尻側に設けられた袖壁６は、図２に示すように、開口部５の戸尻側の内側面から戸先側に向けて延びるように設けられた袖壁下地の引戸納め側面（前面）及び反引戸納め側面（後面）のそれぞれに壁パネルを固定した構造とされている。
これら上枠２０、両側の縦枠２２，２３及び中方立２４からなる戸枠２並びに袖壁６を施工した状態では、袖壁６の手前側に引戸１のスライドスペースが形成され、中方立２４の戸先側に引戸１によって開閉される出入開口７が形成される。
なお、上枠２０は、天井に沿わせるように設けたり、天井に埋め込むように設けたりしてもよい。また、上枠２０に上レール２１を設けた態様に代えて、上レール２１自体を直接的に上枠下地等に固定する態様としてもよい。
【００２０】
引戸１は、略矩形平板状のパネル状体とされている。
また、本実施形態では、引戸１の上端部１０に、図１及び図３に示すように、上記した上レール２１に支持されるランナー部材１１を連結固定している。図例では、引戸１の上端部１０の戸幅方向両側端部のそれぞれにランナー部材１１，１１を設けた例を示している。このようなランナー部材１１，１１としては、水平軸廻りに回転し、上レール２１の両案内片上を転動するローラーを備えたものとしてもよい。
引戸１は、このランナー部材１１，１１が上レール２１のスライド溝に挿入され、その上端部１０が引戸１の戸幅方向に沿って直線状に移動するように、スライド自在に吊下支持される。また、本実施形態では、図１に示すように、ランナー部材１１，１１のローラーを引戸１の戸厚方向（前後方向）両側に対称状に設け、引戸１の上端部１０の戸厚方向中心が上レール２１の見込み方向（戸厚方向に沿う方向）中心に戸厚方向で略一致する構造とされている。
【００２１】
また、この引戸１は、図２（ａ）に示すように、閉鎖状態（出入開口７を閉鎖した状態）で、その戸尻側端部１３が中方立２４と前後方向に重合する構成とされている。図例では、引戸１が閉鎖状態で、引戸１の戸尻側端面が中方立２４の反出入開口７側側面（袖壁側側面）と略同一平面状となる構成としている。
一方、この引戸１は、図２（ｂ）に示すように、全開状態（出入開口７を開放した状態）で、その戸先側端部１２が中方立２４と前後方向に重合する構成とされている。図例では、引戸１が全開状態で、引戸１の戸先側端面が中方立２４の出入開口７側側面と略同一平面状となる構成としている。
なお、引戸１の戸厚寸法は、例えば、２０ｍｍ〜３５ｍｍ程度としてもよい。また、図３において、符号１４は、引戸１の引手（取手）である。
【００２２】
また、図１〜図３に示すように、引戸１の下端部１５には、下向き開口のガイド溝１６が戸幅方向の略全幅に亘って設けられている。
本実施形態では、図１に示すように、ガイド溝１６を、縦断面視略コ字状としている。ガイド溝１６は、溝底面（下方側を向く面）と両側の溝内側面とによって区画形成されている。また、ガイド溝１６は、その溝深さ方向の略全体に亘って略同溝幅寸法とされている。
また、図例では、ガイド溝１６の溝幅寸法を、引戸１の戸厚寸法の略１／３程度の寸法とした例を示している。
また、このガイド溝１６は、戸幅方向に沿って直線状とされた直線部１７に連なる少なくとも戸尻側端部１３近傍部位を反壁部６側（前方側）に屈曲させた屈曲部１８としている。
【００２３】
本実施形態に係る引戸構造は、図１に示すように、このガイド溝１６に、中方立２４の引戸対面側（前方側）下端の反壁部６側（前方側）に設けられたガイド部２７ａが挿入され、このガイド部２７ａによって戸幅方向に沿ってスライドされる引戸１の下端側がガイドされる構造とされている。
また、本実施形態に係る引戸構造は、引戸１が閉鎖状態で、ガイド部２７ａがガイド溝１６の屈曲部１８に位置し、かつ引戸１が略鉛直状となる構造とされている。
【００２４】
本実施形態では、図２に示すように、ガイド溝１６を、直線部１７と、この直線部１７の戸尻側に連なるように設けられた屈曲部１８と、によって構成している。
また、本実施形態では、図１及び図２に示すように、直線部１７を、引戸１の戸厚方向略中心に設けている。
直線部１７は、図２に示すように、引戸１の戸先側端部１２から戸尻側端部１３近傍部位の屈曲部１８に至るまで戸幅方向に沿って直線状に設けられている。
図例では、直線部１７を、引戸１の戸先側端面近傍部位を残すように設けた例を示している。なお、このような態様に代えて、直線部１７を、引戸１の戸先側端面において開口させるように引戸１の下端部１５に設けるようにしてもよい。
また、直線部１７は、溝長手方向の全長に亘って略同溝幅寸法とされている。
【００２５】
屈曲部１８は、図２に示すように、直線部１７の戸尻側から前方（反袖壁６側面）側に向かうように屈曲した形状とされている。
また、本実施形態では、この屈曲部１８と直線部１７との境界部を、引戸１の閉鎖状態で、中方立２４の出入開口７側側面（出入開口７の袖壁側内側面）と戸幅方向で概ね一致する位置となるように設け、屈曲部１８をこの境界部から前方（反袖壁６側面）側に向かうように屈曲させた形状としている。図例では、屈曲部１８を、直線部１７に対して斜め状に前方側へ屈曲させた形状としている。また、この屈曲部１８を、溝長手方向の全長に亘って直線部１７と略同溝幅寸法としており、その溝幅中心が直線部１７の溝幅中心よりも前方側に位置するように形成している。
【００２６】
また、図例では、屈曲部１８を、引戸１の戸尻側端面近傍部位を残すように設けた例を示している。なお、このような態様に代えて、屈曲部１８を、引戸１の戸尻側端面において開口させるように引戸１の下端部１５に設けるようにしてもよい。
また、図例では、直線部１７と屈曲部１８とを、それぞれの両溝内側面同士がなだらかに連なるように設けた例を示している（図２参照）。なお、このような態様に代えて、屈曲部１８と直線部１７とを、それぞれの両溝内側面同士が適宜の交差角で交わるように設けるようにしてもよい。
【００２７】
これら直線部１７及び屈曲部１８からなるガイド溝１６は、図１及び図２に示すように、閉鎖状態の引戸１のガイド溝１６の屈曲部１８にガイド部２７ａが挿入された状態と引戸１のガイド溝１６の直線部１７にガイド部２７ａが挿入された状態とにおける引戸１のガイド部２７ａが挿入された部位における下端側の戸厚方向への変位寸法ｇが、所定寸法となるように形成されている。この変位寸法ｇは、引戸１が納められる袖壁６の出入開口側端部（中方立）２４等と引戸１との干渉を抑制する観点や、引戸１の開閉動作のスムーズ性等の観点、引戸１の下端部１５の強度等の観点等から適宜、設定するようにしてもよく、例えば、２ｍｍ〜１５ｍｍ程度としてもよい。なお、図１（ｂ）では、閉鎖状態の引戸１のガイド溝１６の屈曲部１８にガイド部２７ａが挿入された状態の引戸１の下端部１５の戸厚方向中心から引戸１のガイド溝１６の直線部１７にガイド部２７ａが挿入された状態の引戸１の下端部１５の戸厚方向中心までの戸厚方向に沿う寸法を変位寸法ｇとして示している。
【００２８】
本実施形態では、上記したガイド溝１６に挿入される単一のガイド部２７ａを設けた引戸構造を示している。
また、本実施形態では、図１に示すように、ガイド部２７ａを、ガイド部材２７に設けている。
図例では、ガイド部２７ａの下端に平板状部を設けたガイド部材２７を示している。
また、本実施形態では、ガイド部２７ａを、軸方向を上下方向に沿わせた略円柱形状（ピン状）としている。このガイド部２７ａは、図１に示すように、その戸厚方向に沿う寸法（本実施形態では、径寸法）及び上下寸法が、引戸１のガイド溝１６に挿入可能な寸法とされている。図例では、このガイド部２７ａの戸厚方向に沿う寸法を、引戸１のガイド溝１６の溝幅寸法よりも僅かに小さい寸法とした例を示している。また、このガイド部２７ａの上下寸法は、引戸１のガイド溝１６の溝底面に干渉しないよう適宜、設定するようにしてもよい。
【００２９】
また、ガイド部材２７の平板状部の厚さ寸法は、引戸１と干渉しないように、適宜の寸法としてもよい。
なお、ガイド部材２７は、金属系材料や硬質の合成樹脂系材料から形成されたものとしてもよい。また、ガイド部材２７は、ガイド部２７ａと平板状部とが一体的に形成されたものとしてもよく、または、別体とされたガイド部２７ａと平板状部とを接合して一体化されたものとしてもよい。
また、本実施形態では、ガイド部２７ａを、ピン状のものとした例を示しているが、このような態様に限られない。例えば、ガイド部２７ａを、戸厚方向に厚さ方向を沿わせ、戸幅方向に延びるように形成された平板状とされたものとしてもよい。また、ガイド部２７ａに、引戸１のガイド溝１６の溝幅方向両側の溝内側面の両方または一方に当接して転動するローラー等を設けるようにしてもよい。
【００３０】
上記構成とされたガイド部材２７のガイド部２７ａは、図１（ａ）に示すように、閉鎖状態の引戸１のガイド溝１６の屈曲部１８にガイド部２７ａが挿入された状態で、引戸１が略鉛直状となるような位置に設けられている。
本実施形態では、上記したようにガイド溝１６の直線部１７を戸厚方向略中心に設けており、このガイド部２７ａを、引戸１の上端部１０の戸厚方向略中心直下よりも反壁部６側（前方側）に位置するように設けた構造とされている。また、本実施形態では、中方立２４の見付方向（厚さ方向）略中心の前方側に位置するようにガイド部２７ａを設けている。なお、このような態様に代えて、ガイド部２７ａを、中方立２４の見付寸法内の前方側に位置するように設けるようにしてもよい。
【００３１】
このガイド部２７ａは、図１（ａ）に示すように、引戸１の上端部１０の戸厚方向中心直下からガイド部２７ａの戸厚方向に沿う方向の中心までの戸厚方向に沿う寸法が、上記した変位寸法ｇと同寸法となるように設けるようにすればよい。
なお、ガイド部材２７は、上記平板状部を床３等に適宜のねじ等の止具によって固定することで床３に固定するようにしてもよい。
また、本実施形態では、上レール２１の戸厚方向に沿う方向の中心と引戸１の上端部１０の戸厚方向中心とを戸厚方向で略一致する構造としているので、上レール２１の中心を基準としてガイド部材２７の位置決めを行うようにしてもよい。
また、例えば、ガイド部材２７の平板状部の後方側部位に、ガイド部２７ａが上記した位置となるように位置決めする位置決め部を設けるようにしてもよい。このような位置決め部としては、例えば、ガイド部材２７の平板状部を後方側へ延出させ、中方立２４の前端部等に当接される当接部等としてもよい。
【００３２】
上記のような構成により、図１（ａ）及び図２（ａ）に示すように、引戸１のガイド溝１６の屈曲部１８にガイド部２７ａが挿入され、引戸１が閉鎖状態では、引戸１が略鉛直状に吊下げられた状態となる。
また、この状態では、引戸１の戸尻側端部１３の後面が中方立２４の前端面２５に近接対面し、引戸１の戸尻側端部１３の後面に隙間遮蔽部材２６が当接される。
また、図１（ｂ）及び図２（ｂ）に示すように、引戸１のガイド溝１６の直線部１７にガイド部２７ａが挿入され、引戸１が全開状態、及び引戸１がスライド状態では、引戸１の下端側が引戸１の上端部１０の戸厚方向略中心直下よりも前方側に位置する。つまり、この状態では、引戸１が傾斜状態となる。また、この状態では、引戸１の下端側の後面が中方立２４の前端面２５から離反する。また、引戸１をスライドさせる際には、引戸１は、その上端側が直線状に移動しながらも、その下端側がガイド部２７ａにガイドされ、引戸１の下端側が上端部１０の戸厚方向略中心直下よりも前方側に位置するようにスライドする（図２（ｂ）の二点鎖線の引戸１も参照）。
【００３３】
また、引戸１を開放状態から閉鎖状態へスライドさせる際には、引戸１のガイド溝１６の直線部１７から屈曲部１８に向けてガイド部２７ａが相対的に移動し、引戸１が上記傾斜状態から上記略鉛直状に吊下られた状態へ移行する。
また、引戸１を閉鎖状態から開放状態へスライドさせる際には、引戸１のガイド溝１６の屈曲部１８から直線部１７に向けてガイド部２７ａが相対的に移動し、引戸１が上記略鉛直状に吊下られた状態から上記傾斜状態へ移行する。
【００３４】
本実施形態に係る引戸構造は、上述のような構成としたことで、引戸１が納められる壁部６の出入開口７側端部の縦枠等と引戸１との干渉を抑制しながらも閉鎖状態におけるこれらの間の隙間を低減し、かつ、構造の簡略化を図ることができる。
つまり、当該引戸構造は、引戸１の上端部１０が戸幅方向に沿って直線状に移動するように、引戸１を吊下支持させ、この引戸１の下端部１５に、直線部１７と屈曲部１８とからなる下向き開口のガイド溝１６を設けた構造とされている。また、引戸１が閉鎖状態で、ガイド部２７ａが屈曲部１８に位置し、かつ引戸１が略鉛直状となる構造とされている。従って、引戸１に反りが生じたような場合等においても、引戸１をスライドさせる際に、上記のように引戸１が傾斜状態となり、引戸１が壁部６の出入開口７側端部に設けられた縦枠部材（中方立）２４等と干渉することを抑制することができる。また、引戸１のスライドがなされる際には、当該引戸１の自重によって引戸１が鉛直状態に戻ろうとするので、ガイド部２７ａを引戸１のガイド溝１６の一溝内側面に当接させ易くすることができる。従って、このように引戸１のスライドがなされる際には、引戸１をスライドさせる際における下端側のガタつき（戸厚方向への振れ）を低減させることができる。
【００３５】
また、引戸１が閉鎖状態では、ガイド部２７ａが引戸１のガイド溝１６の屈曲部１８に位置し、引戸１が略鉛直状となるので、上記したように引戸１と中方立２４等との間の隙間を低減することができ、該隙間を介した空気の移動や、該隙間からの音や明かりの漏れ等を抑制することができる。
また、上記のような構造によれば、例えば、引戸１の上下両側に引き寄せレール等を設けたものと比べて、極めて構造を簡略化することができる。つまりは、本実施形態によれば、簡易な構造で、閉鎖状態における引戸１と中方立２４との間の隙間を低減でき、スライドさせる際における引戸１と中方立２４との干渉を抑制することができる。
【００３６】
また、本実施形態では、ガイド溝１６の直線部１７を、引戸１の戸厚方向略中心に設け、ガイド部２７ａを、引戸１の上端部１０の戸厚方向略中心直下よりも反壁部６側に位置するように設けている。従って、例えば、直線部１７を、引戸１の戸厚方向後方側部位等に設けたような場合と比べて、溝長さ寸法の比較的に大きい直線部１７が形成された引戸１の下端部１５の強度を向上させることができる。なお、このような態様に代えて、直線部１７を、引戸１の戸厚方向後方側部位等に戸幅方向に沿って設けるようにしてもよい。このような構成とすれば、上記した変位寸法ｇを、効果的に大きくすることも可能となる。また、この場合は、ガイド部２７ａを設ける位置を適宜、変形するようにしてもよい。
【００３７】
また、本実施形態では、中方立２４の前端面２５から突出するように隙間遮蔽部材２６を設け、閉鎖状態における引戸１の戸尻側端部１３がこの隙間遮蔽部材２６に当接される構造としている。従って、引戸１が閉鎖状態では、隙間遮蔽部材２６によって、引戸１と中方立２４との間の隙間が塞がれ、引戸１と中方立２４との間の隙間を介した空気の移動や、該隙間からの音や明かりの漏れ等をより効果的に抑制することができる。また、上記したように、引戸１のスライド時には、上記のように引戸１が壁部６に対して傾斜した状態となるので、引戸１と隙間遮蔽部材２６との干渉を抑制することができ、引戸１と隙間遮蔽部材２６との当接面積を効率的に小さくすることができる。従って、隙間遮蔽部材２６のへたりや損傷等を抑制することができる。
【００３８】
なお、本実施形態では、一枚の引戸１を袖壁納めで施工した引戸構造を示しているが、この態様に限定されない。例えば、複数枚の引戸１を引き分け状に納める袖壁６を開口部５の両側のそれぞれに設けた引戸構造としてもよい。この場合は、両側の袖壁６，６の出入開口側端部を中方立２４，２４とし、これらのそれぞれの前方側にガイド部２７ａ，２７ａを設けるようにしてもよい。または、このような態様に代えて、建物の間仕切壁部としての内壁４を壁部とし、この壁部４に沿って一枚若しくは複数枚の引戸１を納める、いわゆるアウトセット納めの引戸構造としてもよい。この場合は、壁部４の出入開口側端部を縦枠部材としての縦枠とし、両側または一方の縦枠の前方側にガイド部２７ａを設けるようにしてもよい。また、この場合においても、縦枠の両方または一方に隙間遮蔽部材２６を設けるようにしてもよい。
【００３９】
また、本実施形態では、引戸１が納められる壁部６（４）の出入開口側端部を縦枠部材２４とし、隙間遮蔽部材２６を設けた例を示しているが、この態様に限定されない。このような隙間遮蔽部材２６を設けない態様としてもよい。さらには、縦枠部材２４を設けずに、壁部６（４）の出入開口側端部を壁クロス等の表面仕上材が貼着された無枠状としてもよい。
【００４０】
また、本実施形態では、上レール２１を下向き開口形状とした例を示しているが、このような態様に限られない。例えば、前方側等に向けて開口するスライド溝を設けた上レール２１としてもよい。この場合は、このスライド溝に挿入される引戸１の上端部１０のランナー部材を、戸厚方向両側にローラーを設けたようなものに代えて、後方側にローラー等を設けたものとしてもよい。
また、本実施形態では、ガイド溝１６を、直線部１７と、この直線部１７の戸尻側に連なるように設けられた屈曲部１８と、によって構成した例を示しているが、この態様に限定されない。ガイド溝１６に、この屈曲部１８に加えて、更に、直線部１７の戸先側に連なるように戸先側屈曲部を設け、引戸１が全開状態で、ガイド部２７ａがこの戸先側屈曲部に位置し、かつ引戸１が略鉛直状となる構造としてもよい。このような構成とすれば、引戸１が全開状態で、引戸１と引戸１が納められる壁部６（４）との間の隙間を低減させることができ、見栄えを向上させることができる。
【００４１】
また、図例では、引戸１の下端部１５に直接的にガイド溝１６を設けた例を示しているが、このような態様に代えて、縦断面下向き開口形状のレール状部材を、引戸１の下端面に設けた凹溝に嵌め込み、ガイド溝１６を構成するようにしてもよい。
また、図例では、ガイド溝１６を縦断面視略コ字状とした例を示しているが、例えば、縦断面視略Ｕ字状等、他の形状とされたものとしてもよい。
また、図例では、ガイド溝１６を、ガイド溝１６の溝深さ方向を引戸１の上下方向に略沿わせるように設けた例を示しているが、この態様に限定されない。例えば、ガイド溝１６の直線部１７の溝深さ方向を、直線部１７に挿入されたガイド部２７ａの上下方向に略沿う方向となるように引戸１の上下方向に対して傾斜させた方向としてもよい。
【符号の説明】
【００４２】
１        引戸
６        袖壁（壁部）
７        出入開口
１０      上端部
１３      戸尻側端部
１５      下端部
１６      ガイド溝
１７      直線部
１８      屈曲部
２４      中方立（縦枠部材、出入開口側端部）
２５      前端面（見込み方向引戸対面側端面）
２６      隙間遮蔽部材
２７ａ    ガイド部
【図１】
2014095263.tif 000003
【図２】
2014095263.tif 000004
【図３】
2014095263.tif 000005